(57)【要約】【課題】従来の管継手のようなナット（押輪）を用いることなく、樹脂製短管を継手本体に抜止め状にかつシール状に簡易迅速に接続することができる管継手を提供する。【解決手段】継手本体１の受口部６に挿入される樹脂製短管２と、この樹脂製短管２の外周に装着され、外周に抜止めリング収容凹溝１１を有するアウターリング３と、抜止めリング収容凹溝１１に遊嵌され、自由状態で樹脂製短管２の外径よりも大きい外径を有しかつ拡縮径変形自在な抜止めリング４、及び樹脂製短管２の挿入側先端部の外周と受口部６の内周との間に介在されたシールリング５とを備える。継手本体１の受口部６の内周には、樹脂製短管２が受口部６内に所定深さにまで挿入されたときに抜止めリング収容凹溝１１の外周に対応する環状の抜止め溝７が設けられている。樹脂製短管２が抜止めリング４を縮径させながら受口部６内に所定深さにまで挿入されると抜止めリング４が拡径復元して該抜止めリング４の外径部が抜止め溝７に抜止め状に係合する。【選択図】図１
2007255684.tif 000002
【特許請求の範囲】
【請求項１】
少なくとも一端に受口部を有する継手本体と、この継手本体の前記受口部に挿入された樹脂製短管と、この樹脂製短管の外周に装着され、外周に環状の抜止めリング収容凹溝を有するアウターリングと、前記抜止めリング収容凹溝に遊嵌され、自由状態で前記樹脂製短管の外径よりも大きい外径部を有しかつ拡縮径変形自在な抜止めリングと、前記受口部内に挿入された前記樹脂製短管の挿入側先端部と前記受口部との重合面間に介在されたシールリングとを備えており、前記継手本体の受口部の内周には環状の抜止め溝が、前記樹脂製短管に前記アウターリングが装着された状態下で前記受口部内に挿入された前記アウターリングの抜止めリング収容凹溝の外周に対応するように設けられており、前記樹脂製短管が前記抜止めリングを縮径させながら前記受口部内に所定深さにまで挿入されたときに前記抜止めリングが拡径復元して該抜止めリングの外径部が前記抜止め溝に抜止め状に係合するように構成していることを特徴とする管継手。
【請求項２】
前記樹脂製短管に樹脂管の一端部を接合している、請求項１記載の管継手。
【請求項３】
前記樹脂製短管は前記受口部に相対回転可能に挿入されている、請求項１又は２に記載の管継手。
【請求項４】
前記アウターリングは一対の半円形状の分割リングからなる、請求項１ないし３のいずれか１項に記載の管継手。
【請求項５】
前記アウターリングは前記樹脂製短管の外周に一体成形されている、請求項１ないし３のいずれか１項に記載の管継手。
【請求項６】
前記樹脂製短管の挿入側先端部に、先方向へ向かって突出する円筒状突出部を形成する一方、前記受口部の内奥に、前記円筒状突出部の圧入に伴い径方向の面圧を発生させてシール部を形成する円筒状溝部を形成している、請求項１、２、４、５のいずれか１項に記載の管継手。
【発明の詳細な説明】
【技術分野】
【０００１】
本発明は、給水・給湯、冷温水、冷却水などの配管に用いられ、それら配管の一端部を給水栓等の器具に接続するのに用いられる管継手に関する。
【背景技術】
【０００２】
給水・給湯等の配管に用いられる管継手として、例えば、図５に示すような管継手が提案されている（例えば、特許文献１参照。）。この管継手は、給水栓等の器具に接続可能でかつ一端に受口部２０を開口した継手本体２１と、継手本体２１の受口部２０に挿入される樹脂製短管（特許文献１では「ソケット」と称す。）２２と、継手本体２１の受口部２０の外周に設けられた雄ねじ２３に螺合されるナット（押輪）２４と、受口部２０の開口端内周と樹脂製短管２２の外周との間に介在されるワッシャ２５、Ｏリング２６、環状リーフ２７とを備える。
【０００３】
この管継手の現場施工に際しては、先ず、継手本体２１を給水栓等器具に接続する一方、樹脂製短管２２にワッシャ２５、Ｏリング２６、環状リーフ２７、更にはナット２４をこの順で挿入しておき、樹脂製短管２２に給水管Ｐを挿入して接着接合したうえで、樹脂製短管２２をこの挿入側先端が継手本体２１の受口部２０に該受口部２０内のストッパーリブ２８に当接するまで挿入するとともに、ナット２４を継手本体２１に締付けるというものである。
【０００４】
【特許文献１】特開２００３−２２７５８９号公報
【発明の開示】
【発明が解決しようとする課題】
【０００５】
しかしながら、上記管継手では、現場での施工終了後に、ナット２４の締付け不足を確認し難いという締付け管理面での問題がある。このため、振動や外部からの荷重等によりナット２４の締付けが緩むと、給水管Ｐ内の水が漏洩する可能性がある。また、ナット２４を継手本体２１に対し締付ける構造上、呼び径が小口径でも、継手本体２１の外周及びナット２４の外周に六角形や八角形など多角形の工具掛け部２１ａ，２４ａを形成しておく必要があるため、その分だけ継手本体２１及びナット２４が大きくなり、継手全体の材料コストアップ、大型化を招き、重量的にも重くなるという難点があった。
【０００６】
本発明はこのような問題を解決するためになされたものであり、その目的とするところは、前述した従来の管継手のようなナット（押輪）の使用を省略化することでコスト低減、小型化、コンパクト化を図り得、またナットの締付け作業の省略化により組立て作業性の向上を図れ、しかも施工後のナットの緩み問題も解消できて水漏れ事故の発生を確実に防止できて信頼性の高い管継手を提供することにある。
【課題を解決するための手段】
【０００７】
本発明の管継手は、請求項１に記載のように、少なくとも一端に受口部を有する継手本体と、この継手本体の前記受口部に挿入された樹脂製短管と、この樹脂製短管の外周に装着され、外周に環状の抜止めリング収容凹溝を有するアウターリングと、前記抜止めリング収容凹溝に遊嵌され、自由状態で前記樹脂製短管の外径よりも大きい外径部を有しかつ拡縮径変形自在な抜止めリングと、前記受口部内に挿入された前記樹脂製短管の挿入側先端部と前記受口部との重合面間に介在されたシールリングとを備えており、前記継手本体の受口部の内周には環状の抜止め溝が、前記樹脂製短管に前記アウターリングが装着された状態下で前記受口部内に挿入された前記アウターリングの抜止めリング収容凹溝の外周に対応するように設けられており、前記樹脂製短管が前記抜止めリングを縮径させながら前記受口部内に所定深さにまで挿入されたときに前記抜止めリングが拡径復元して該抜止めリングの外径部が前記抜止め溝に抜止め状に係合するように構成していることに特徴を有するものである。
このような構成によれば、樹脂製短管をアウターリング及び抜止めリングを装着したまま継手本体の受口部に挿入するだけで抜止めリングの外径部が抜止め溝に抜止め状に係合するため、樹脂製短管を継手本体に抜止め状にかつシール状に簡易迅速に接続することができる。
【０００８】
請求項１記載の管継手は、請求項２記載のように、前記樹脂製短管に樹脂管の一端部を接合することができる。また請求項３記載のように、前記樹脂製短管は前記受口部に相対回転可能に挿入することができる。これによれば、樹脂製短管に樹脂管を接合した後でも、給水栓、バルブ等の器具に継手本体をねじ込むことができて該継手本体を前記器具に簡易に取付けることができる。
【０００９】
また、請求項１ないし３のいずれかに記載の管継手は、請求項４記載のように、前記アウターリングは一対の半円形状の分割リングで構成するか、請求項５記載のように、前記アウターリングは前記樹脂製短管の外周に一体成形することができる。
【００１０】
請求項１、２、４、５のいずれか１項に記載の管継手は、請求項６記載のように、前記樹脂製短管の挿入側先端部に、先方向へ向かって突出する円筒状突出部を形成する一方、前記受口部の内奥に、前記円筒状突出部の圧入に伴い径方向の面圧を発生させてシール部を形成する円筒状溝部を形成することができる。この場合、円筒状溝部９に対し円筒状突出部１０の外周面のみ又は内周面のみを密着させてシール部を構成することもできる。このような構成によれば、継手本体内を流通する水の漏れ防止を講じるシール効果を一層高めることができる。
【発明の効果】
【００１１】
本発明によれば、樹脂製短管を継手本体の受口部に挿入するだけで樹脂製短管を継手本体に抜止め状にかつシール状に接続することができ、前述した従来の管継手のような多角形の工具掛け部を有するナット（押輪）は省略することができるのでコスト低減、小型化、コンパクト化を図ることができ、しかもナットの締付け作業を省略でき樹脂製短管を継手本体の受口部に挿入するだけの簡単な作業で足りるため組立て作業性に優れ、しかも施工後のナットの緩みや締付け不足の問題も解消できて水漏れ事故の発生を確実に防止できる。
【発明を実施するための最良の形態】
【００１２】
本発明の好適な実施形態を図面に基づき説明する。図１は本発明の一実施例を示す管継手の半欠截断面図、図２は図１におけるＡ部の拡大図、図３は図１の管継手の組立て過程を示す断面図である。
【００１３】
本発明に係る管継手は、図１に示すように、継手本体１、樹脂製短管２、アウターリング３、抜止めリング４、およびシールリング５を主要構成部材とする。
【００１４】
図１〜図３に示すように、継手本体１は金属や樹脂などからなり、一端に樹脂製短管２を挿入可能とする受口部６を開口し、この受口部６の内周に環状の抜止め溝７を設け、他端の外周には、給水栓やバルブ等の器具にねじ込み可能な雄ねじ８を設けている。継手本体１の受口部６の内奥には円筒状溝部９を継手本体１の軸心と同心状に形成している。継手本体１の受口部６の外周には多角形の工具掛け部１ａを設けている。なお、図示例の継手本体１はストレート型であるが、エルボ型やティ−型などの場合もある。また、図示例の継手本体１はこれの他端の外周に雄ねじ８を設けてあるが、他端の内周に雌ねじを設けることもある。
【００１５】
樹脂製短管２は、ポリブテン、ポリエチレン、塩化ビニルなど樹脂材料で図示例のごとくストレート、或いは図外のエルボ形状などに形成される。継手本体１の受口部６内に挿入される樹脂製短管２の挿入側先端部には先方向へ向かって突出する円筒状突出部１０を樹脂製短管２の筒軸心と同心状に設けている。この円筒状突出部１０は、樹脂製短管２が受口部６に挿入されるとき円筒状溝部９に嵌入する形に形成している。樹脂製短管２は継手本体１の受口部６に相対回転可能に接続される場合は、図２に示すように円筒状突出部１０が円筒状溝部９内に嵌入されたときにそれら円筒状突出部１０と円筒状溝部９間に隙間が生じて遊嵌されるようになしている。樹脂製短管２の後端開口部の内径は、図１に二点鎖線で示すように、樹脂製短管２の材料と同じようにポリブテン、ポリエチレン、塩化ビニルなど樹脂材料からなる樹脂管Ｐの一端部が挿入されて熱融着または電気融着で接合できるように構成している。樹脂製短管２と樹脂管Ｐの一端部との接合手段としては熱融着・電気融着以外に、接着手段でも可能である。
【００１６】
アウターリング３は銅合金など金属材料や硬質樹脂などからなり、外周に環状の抜止めリング収容凹溝１１を設けており、樹脂製短管２の外周に装着される。その装着にあたっては、図３（ａ）に示すように、樹脂製短管２の外周に環状の凹溝１２を設ける一方、アウターリング３を一対の半円形状の分割リング３ａ，３ｂで構成して、図３（ｂ）に示すように、その分割リング３ａ，３ｂを樹脂製短管２の凹溝１２内に抱合状に嵌合させ、分割リング３ａ，３ｂ外周の抜止めリング収容凹溝１１に抜止めリング４を遊嵌させることにより装着され、この装着状態が保持される。
【００１７】
抜止めリング４はステンレス等からなり、円周一部に開離部４ａ（図３（ｂ）参照）を有する断面Ｃ形状に形成して拡縮径変形可能に構成している。この抜止めリング４は、自由状態において、アウターリング３の抜止めリング収容凹溝１１を備えた外周部の外径よりも小さい内径部を有し、かつ外径部が前記外径より大きく形成されて抜止めリング収容凹溝１１に遊嵌状に収容される。
【００１８】
上記継手本体１の抜止め溝７とアウターリング３の抜止めリング収容凹溝１１との位置関係については、図１のように、樹脂製短管２がアウターリング３及び抜止めリング４を装着した状態で継手本体１の受口部６内に所定深さにまで挿入されると、抜止め溝７が抜止めリング収容凹溝１１の外周に対応して両者が合致するように設定されている。
【００１９】
シールリング５はＯリング等からなって樹脂製短管２の先端部の外径より小さい内径部を有し、継手本体１の受口部６の内奥に収容されるように形成している。
【００２０】
次に、上記管継手の組立て要領を図３（ａ），（ｂ）を参照して説明する。
先ず、図３（ａ）に示すアウターリング３の一対の分割リング３ａ，３ｂを、樹脂製短管２の凹溝１２内に抱合状に嵌合させ、分割リング３ａ，３ｂ外周の抜止めリング収容凹溝１１に抜止めリング４を遊嵌させることによりアウターリング３を樹脂製短管２に装着する（図３（ｂ）参照）。
しかる後、樹脂製短管２が抜止めリング４を縮径させながら継手本体１の受口部６内に円筒状突出部１０が円筒状溝部９に嵌入する所定深さにまで挿入されると、図１、図２に示すように、抜止めリング収容凹溝１１と抜止め溝７とが合致し、これに伴い抜止めリング収容凹溝１１内の抜止めリング４が弾性復元作用により拡径して該抜止めリング４の外径部が抜止め溝７に係合することにより樹脂製短管２が受口部６から抜止めされる状態が得られるとともに、シールリング５が継手本体１の受口部６の内周と樹脂製短管２の先端外周との間で圧縮されてその間で水漏れのないシール状態が得られる。
【００２１】
この組立て状態では樹脂製短管２は継手本体１に対し相対回転可能であるので、図１のように樹脂製短管２に給水用等の樹脂管Ｐを接合した後でも、継手本体１の雄ねじ８を給水栓、バルブ等の器具（図示せず）にねじ込むことができて該器具に継手本体１を簡易に取付けることができる。
【００２２】
上記のように、抜止めリング４の外径部が抜止め溝７に抜止め状に係合した状態によれば、施工後、地震などにより樹脂管Ｐと共に樹脂製短管２が抜出し方向に強く引っ張られるようなことがあっても、抜止めリング４の外径部が抜止め溝７に対する係合力を増すため樹脂製短管２が受口部６から抜け出るのを確実に阻止できる。
【００２３】
上記実施例ではアウターリング３を一対の半円形状の分割リング３ａ，３ｂで構成するが、これに代えて、アウターリング３は非分割の円筒状に形成し、これを樹脂製短管２の樹脂成形時に同時に該樹脂製短管２の外周に一体成形することもできる。
また、上記実施例では、樹脂製短管２は継手本体１の受口部６に相対回転すべく接続する目的で、樹脂製短管２先端の円筒状突出部１０は継手本体１内の円筒状溝部９内に遊嵌するように構成しているが、樹脂製短管２を回転させる必要がない場合は、樹脂製短管２先端の円筒状突出部１０を継手本体１内の円筒状溝部９に圧入できるように該円筒状突出部１０の厚み寸法および円筒状溝部９の溝幅寸法を設定し、その圧入に伴い円筒状突出部１０と円筒状溝部９間で径方向の面圧を発生させてシール部を形成するように構成することができる。これによれば、継手本体１内を流通する水の漏れ防止効果を一段と高めることができる。この場合、円筒状溝部９に対し円筒状突出部１０の外周面のみ又は内周面のみを密着させてシール部を構成することもできる。
【００２４】
なお、上記実施形態では、継手本体１の他端部を給水栓等器具に接続する場合について説明したが、継手本体１の他端側にも一端側の受口部６と同じ受口部を設けてこの受口部にも、一端側の樹脂製短管２と同一構成の樹脂製短管２を同様に挿入接続することで、両端の樹脂製短管２にそれぞれ接合する樹脂管Ｐどうしを接続する形態の管継手とすることもできる。
また、上記実施形態では、樹脂製短管２先端の円筒状突出部１０の外周と継手本体１の受口部６の内周との間にシールリング５を介在させてあるが、これに代えて、図４に示すように、シールリング５は継手本体１の円筒状溝部９の内径部と樹脂製短管２先端の円筒状突出部１０の内周との間に介在させることもできる。
【図面の簡単な説明】
【００２５】
【図１】本発明の一実施例を示す管継手の半欠截断面図である。
【図２】図１におけるＡ部の拡大図である。
【図３】図１の管継手の組立て過程を示す断面図である。
【図４】他の実施例を図２に相応して示す断面図である。
【図５】従来例の管継手の半欠截断面図である。
【符号の説明】
【００２６】
１  継手本体
２  樹脂製短管
３  アウターリング
４  抜止めリング
５  シールリング
６  受口部
７  抜止め溝
９  円筒状溝部
１０  円筒状突出部
１１  抜止めリング収容凹溝
【図１】
2007255684.tif 000003
【図２】
2007255684.tif 000004
【図３】
2007255684.tif 000005
【図４】
2007255684.tif 000006
【図５】
2007255684.tif 000007